(57)【特許請求の範囲】
【請求項１】
第１方向に形成された複数のスキャンラインと、
前記第１方向と異なる第２方向に形成された複数のデータラインと、
前記スキャンラインとデータラインとが交差する発光領域に形成される複数のピクセルと、
前記スキャンラインにスキャン信号を供給するスキャン駆動部と、
外部からいずれかのフレームに該当する表示データの入力を受けて前記表示データの階調値を検出して前記検出された階調値に従って制御信号を発生させる制御部と、
前記制御部から伝送された制御信号によって、前記表示データに従う放電時間の間、前記表示データの階調値に対応する放電レベルまで前記データラインを放電させる放電部と、
前記制御部から前記表示データを受信し、前記受信された表示データに従うプリチャージ電流を、前記データラインに供給するプリチャージ部と、
前記制御部から前記表示データを受信し、前記受信された表示データに従うデータ電流を、前記データラインに供給するデータ駆動部と、
を含み、
前記表示データが高階調に対応するデータである場合、前記放電レベルは第１放電レベルを有し、
前記表示データが低階調に対応するデータである場合、前記放電レベルは前記第１放電レベルより高い第２放電レベルを有する
ことを特徴とする発光表示装置。
【請求項２】
前記放電部は、
前記制御部の制御信号に従って、ある可変レベルまで前記データラインを放電させる第１放電実行部と、
前記データラインを予め設定されたレベルまで放電させる第２放電実行部と、を含むことを特徴とする請求項１に記載の発光表示装置。
【請求項３】
前記第１放電実行部は、少なくとも一つ以上の可変抵抗からなることを特徴とする請求項２に記載の発光表示装置。
【請求項４】
前記制御部は、前記表示データが高階調のデータであるとき、前記放電レベルが前記第１放電レベルに対応するように、前記可変抵抗の抵抗値を減少させる制御信号を前記第１放電実行部に供給することを特徴とする請求項３に記載の発光表示装置。
【請求項５】
前記制御部は、前記表示データが低階調のデータであるとき、前記放電レベルが前記第２放電レベルに対応するように、前記可変抵抗の抵抗値を増加させる制御信号を前記第１放電実行部に供給することを特徴とする請求項３に記載の発光表示装置。
【請求項６】
前記発光領域に形成される前記複数のピクセルは、有機電界発光素子を含むことを特徴とする請求項１に記載の発光表示装置。
【請求項７】
データラインとスキャンラインとが交差する発光領域に形成された複数のピクセルを含む有機電界発光表示装置の駆動方法において、
外部から入力される表示データに従うデータ電流の階調を検出する第１段階と、
前記検出された階調によって前記データラインを前記表示データに対応する放電レベルまで放電させ、前記検出された階調が高階調のとき、前記放電レベルが前記表示データに対応するように放電部に含まれた可変抵抗の抵抗値を減少させる段階と、前記データラインを前記放電レベルまで放電させる段階と、を含む第２段階と、
前記表示データに従うプリチャージ電流を前記放電されたデータラインに印加する第３段階と、
前記表示データに従うデータ電流を前記プリチャージ電流が印加されたデータラインに供給する第４段階と、
を含むことを特徴とする有機電界発光表示装置の駆動方法。
【請求項８】
データラインとスキャンラインとが交差する発光領域に形成された複数のピクセルを含む有機電界発光表示装置の駆動方法において、
外部から入力される表示データに従うデータ電流の階調を検出する第１段階と、
前記検出された階調によって前記データラインを前記表示データに対応する放電レベルまで放電させ、前記検出された階調が低階調のとき、前記放電レベルが前記表示データに対応するように放電部に含まれた可変抵抗の抵抗値を増加させる段階と、
前記データラインを前記放電レベルまで放電させる段階と、を含む第２段階と、
前記表示データに従うプリチャージ電流を前記放電されたデータラインに印加する第３段階と、
前記表示データに従うデータ電流を前記プリチャージ電流が印加されたデータラインに供給する第４段階と、
を含むことを特徴とする有機電界発光表示装置の駆動方法。
【発明の詳細な説明】
【技術分野】
【０００１】
本発明は、発光表示装置及び有機電界発光表示装置の駆動方法に関する。さらに詳しくは、階調によって放電レベルを可変できる発光表示装置及び有機電界発光表示装置の駆動方法に関するものである。
【背景技術】
【０００２】
有機電界発光表示装置は、発光表示装置であり、所定電圧が印加されたとき特定波長の光を発生させる。
図１は、従来の有機電界発光表示装置を示した図であり、図２は、図１のピクセルに供給されるスキャン信号及びデータ電流を図示したタイミング図である。
【０００３】
図１を参照すれば、従来の有機電界発光表示装置はパネル１００、スキャン駆動部１１０、制御部１２０、データ駆動部１３０、プリチャージ部１４０及び放電部１５０を含む。
【０００４】
パネル１００は、データラインＤ１〜Ｄ４とスキャンラインＳ１〜Ｓ４とが交差する領域に形成される複数のピクセルＥ１１〜Ｅ４４を含む。
スキャン駆動部１１０は、スキャン信号をスキャンラインＳ１〜Ｓ４を介してピクセルＥ１１〜Ｅ４４に順次に伝送する。
【０００５】
制御部１２０は、外部から入力される表示データ、例えば、ＲＧＢデータを受信し、表示データによってスキャン駆動部、データ駆動部、プリチャージ部及び放電部に制御信号を伝送する。
【０００６】
以下、上記有機電界発光素子の駆動方法を詳述する。
但し、説明の便宜のために、第１表示データ及び第２表示データが、制御部１２０に順次に入力されると仮定する。
【０００７】
プリチャージ部１４０は、図２に示されるように、第１プリチャージ時間pcha１の間、制御部１２０から供給された第１表示データに従って第１プリチャージ電流をデータラインＤ１〜Ｄ４に印加する。
【０００８】
この場合、第１表示データが高階調（８０％）であるため、第１プリチャージ電流は、第１プリチャージ時間pcha１の間、充分にオーバーシューティングする。従って、ピクセルＥ１１〜Ｅ４４は、第２スキャン信号ＳＰ２中の低論理領域の開始点Ｔ２から８０％の階調で発光する。
【０００９】
次いで、データ駆動部１３０は、制御部１２０から伝送された第１表示データに従って、第１データ電流（８０％階調)をデータラインＤ１〜Ｄ４を介してピクセルＥ１１〜Ｅ４４に供給する。
【００１０】
続いて、放電部１５０は、制御部１２０から伝送された第１表示データによって第２放電時間dcha２の間、データラインＤ１〜Ｄ４を一定の放電レベルＤＬ１まで放電させる。放電部１５０は、複数のツェナーダイオード等ＺＤ１〜ＺＤ４からなり、これにより、放電レベルがピクセルＥ１１〜Ｅ４４の発光階調に関係なく一定に固定される。
【００１１】
次いで、プリチャージ部１４０は、第２プリチャージ時間pcha２の間、制御部１２０から供給された第２表示データに従って第２プリチャージ電流をデータラインＤ１〜Ｄ４に印加する。
【００１２】
続いて、データ駆動部１３０は、制御部１２０から伝送された第２表示データに従って第２データ電流（２０％階調）をデータラインＤ１〜Ｄ４を介してピクセルＥ１１〜Ｅ４４に供給する。
【００１３】
この場合、第２表示データが低階調（２０％）であるため、第２プリチャージ電流が充分にオーバーシューティングしなくなる。その結果、ピクセルＥ１１〜Ｅ４４が、図２のＡ部分のように、第３スキャン信号ＳＰ３中の低論理領域の開始点Ｔ３を通った後、２０％階調で発光する。
【００１４】
従って、ピクセルＥ１１〜Ｅ４４は、所望の輝度で発光することができなかった。
このように、高階調で発光した後、低階調で発光するとき、ピクセルＥ１１〜Ｅ４４が所望の輝度で発光することができなく、所望の輝度で発光するためには、消費電力が増加した。
【発明の開示】
【発明が解決しようとする課題】
【００１５】
本発明の目的は、階調によって放電レベルを調節することができるように放電部を構成し、階調に関係なくピクセルが所望の輝度で発光できる発光表示装置及び有機電界発光表示装置の駆動方法を提供するものである。
【００１６】
また、本発明の目的は、可変抵抗を用いて放電レベルを階調に合うように可変させて階調に対応する輝度でピクセルを発光させることができる発光表示装置及び有機電界発光表示装置の駆動方法を提供するものである。
【課題を解決するための手段】
【００１７】
上述の目的を達成するために、本発明に係る発光表示装置は、第１方向に形成された複数のスキャンラインと、前記第１方向と異なる第２方向に形成された複数のデータラインと、前記スキャンラインとデータラインとが交差する発光領域に形成される複数のピクセルと、前記スキャンラインにスキャン信号を供給するスキャン駆動部と、外部からいずれかのフレームに該当する表示データの入力を受けて前記表示データの階調値を検出して前記検出された階調値に従って制御信号を発生させる制御部と、前記制御部から伝送された制御信号によって、前記表示データに従う放電時間の間、前記表示データの階調値に対応する放電レベルまで前記データラインを放電させる放電部と、前記制御部から前記表示データを受信し、前記受信された表示データに従うプリチャージ電流を、前記データラインに供給するプリチャージ部と、前記制御部から前記表示データを受信し、前記受信された表示データに従うデータ電流を、前記データラインに供給するデータ駆動部とを含み、前記表示データが高階調に対応するデータである場合、前記放電レベルは第１放電レベルを有し、前記表示データが低階調に対応するデータである場合、前記放電レベルは前記第１放電レベルより高い第２放電レベルを有する。
また、本発明に係る有機電界発光表示装置の駆動方法は、データラインとスキャンラインとが交差する発光領域に形成された複数のピクセルを含む有機電界発光表示装置の駆動方法において、外部から入力される表示データに従うデータ電流の階調を検出する第１段階と、前記検出された階調によって前記データラインを前記表示データに対応する放電レベルまで放電させ、前記検出された階調が高階調のとき、前記放電レベルが前記表示データに対応するように放電部に含まれた可変抵抗の抵抗値を減少させる段階と、前記データラインを前記放電レベルまで放電させる段階と、を含む第２段階と、前記表示データに従うプリチャージ電流を前記放電されたデータラインに印加する第３段階と、前記表示データに従うデータ電流を前記プリチャージ電流が印加されたデータラインに供給する第４段階と、を含む。
さらに、データラインとスキャンラインとが交差する発光領域に形成された複数のピクセルを含む有機電界発光表示装置の駆動方法において、外部から入力される表示データに従うデータ電流の階調を検出する第１段階と、前記検出された階調によって前記データラインを前記表示データに対応する放電レベルまで放電させ、前記検出された階調が低階調のとき、前記放電レベルが前記表示データに対応するように放電部に含まれた可変抵抗の抵抗値を増加させる段階と、前記データラインを前記放電レベルまで放電させる段階と、を含む第２段階と、前記表示データに従うプリチャージ電流を前記放電されたデータラインに印加する第３段階と、前記表示データに従うデータ電流を前記プリチャージ電流が印加されたデータラインに供給する第４段階と、を含む。
【発明を実施するための最良の形態】
【００２３】
以下、添付された図面を参照して、本発明に係る発光表示装置及び有機電界発光表示装置の駆動方法の好ましい実施形態を詳細に説明する。
【００２４】
図３は、本発明の好ましい第１の実施形態に係る有機電界発光表示装置を図示した図面であり、図４は、本発明の好ましい実施形態に係る有機電界発光表示装置のピクセルに供給されるスキャン信号及びデータ電流を図示したタイミング図である。
【００２５】
図３を参照すれば、本発明の第１の実施形態に係る有機電界発光表示装置は、パネル２００、スキャン駆動部２１０、制御部２２０、データ駆動部２３０、プリチャージ部２４０及び第１放電部２５０を含む。
パネル２００は、データラインＤ１〜Ｄ４とスキャンラインＳ１〜Ｓ４が交差する発光領域に形成される複数のピクセルＥ１１〜Ｅ４４を含む。
【００２６】
各ピクセルＥ１１〜Ｅ４４は、順次に積層されたアノード電極層、有機物層及びカソード電極層からなり、アノード電極層に正の電圧が印加され、カソード電極層に負の電圧が印加されるとき、所定波長の光を発生させる。
スキャン駆動部２１０は、スキャン信号をスキャンラインＳ１〜Ｓ４に順次に供給する。
【００２７】
詳しくは、スキャン駆動部２１０は、それぞれ低論理領域と高論理領域を有するスキャン信号をスキャンラインＳ１〜Ｓ４に供給する。その結果、ピクセルＥ１１〜Ｅ４４はスキャン信号の低論理領域で発光する。
【００２８】
制御部２２０は、外部から入力される表示データ、即ち、ＲＧＢデータを受信する。また、制御部２２０は、順次に入力される表示データによってスキャン駆動部２１０、データ駆動部２３０、プリチャージ部２４０及び放電部２５０に制御信号を伝送する。
【００２９】
以下、第１表示データ及び第２表示データが、制御部２２０に順次に入力されると仮定する。
プリチャージ部２４０は、制御部２２０から第１表示データを受信し、受信された第１表示データに従って第１プリチャージ電流をデータラインＤ１〜Ｄ４に印加する。
【００３０】
データ駆動部２３０は、制御部２２０から供給された第１表示データに従って第１データ電流を第１プリチャージ電流が印加されたデータラインＤ１〜Ｄ４にそれぞれ供給する。ここで、データ電流はスキャン信号に同期されている。
【００３１】
一方、制御部２２０は、受信された第１及び第２表示データに従って階調を検出する。制御部２２０は検出された階調に対する情報を用いて放電レベルを制御する制御信号ＣＳ１〜ＣＳ４を第１放電部２５０に供給する。
詳しくは、制御部２２０は検出された階調が高階調（例えば、５０％以上の階調）であるかを把握する。
【００３２】
検出された階調が高階調のとき、例えば、図４に示されるように第２表示データに従って階調が８０％のとき、制御部２２０は第２表示データに対応するように放電レベルを減少させる制御信号ＣＳ１〜ＣＳ４を第１放電部２５０に供給する。
【００３３】
一方、検出された階調が低階調のとき、例えば、図４に示されるように第２表示データに従って階調が２０％のとき、制御部２２０は、第２表示データに対応するように放電レベルを増加させる制御信号ＣＳ１〜ＣＳ４を第１放電部２５０に供給する。
【００３４】
第１放電部２５０は、第１放電実行部２５２及び第２放電実行部２５４を含む。
第１放電実行部２５２及び第２放電実行部２５４は、制御部２２０から伝送された第１及び第２表示データによってデータ電流が供給されたデータラインＤ１〜Ｄ４を第２表示データに対応する放電レベル（第１放電レベル及び第２放電レベル）まで放電させる。
【００３５】
第１放電実行部２５２は制御部２２０から制御信号ＣＳ１〜ＣＳ４を供給を受け、制御信号ＣＳ１〜ＣＳ４によって第１放電レベルを可変させる。詳細では、第１放電実行部２５２は複数の可変抵抗Ｒ１〜Ｒ４で構成され、制御信号ＣＳ１〜ＣＳ４によって可変抵抗Ｒ１〜Ｒ４の抵抗値を調整して第１放電レベルを可変させる。
【００３６】
例えば、第１放電レベルを増加させる制御信号ＣＳ１〜ＣＳ４のとき、可変抵抗Ｒ１〜Ｒ４の抵抗値を増加させる。一方、第１放電レベルを減少させる制御信号ＣＳ１〜ＣＳ４のとき、可変抵抗Ｒ１〜Ｒ４の抵抗値を減少させる。第１放電実行部２５２は、可変抵抗Ｒ１〜Ｒ４にかかる電圧値に従う第１放電レベルでデータラインＤ１〜Ｄ４を放電させる。
【００３７】
第２放電実行部２５４は、データラインＤ１〜Ｄ４を第２放電レベルまで放電させる。第２放電実行部２５４は、複数のツェナーダイオードＺＤ１〜ＺＤ４で構成されているので、第２表示データの階調に関係なくデータラインＤ１〜Ｄ４を第２放電レベルまで放電させる。
【００３８】
以下、第１の実施形態に係る有機電界発光表示装置の駆動方法を詳述する。
図５は本発明の好ましい第１の実施形態に係る有機電界発光表示装置の駆動方法を図示した流れ図である。
【００３９】
まず、制御部２２０は、外部で受信された第２表示データに従う階調を検出する（Ｓ３００）。
次いで、制御部２２０は、検出された階調が高階調（例えば、５０％以上の階調）であるか否かを判断する（Ｓ３１０）。
【００４０】
検出された階調が高階調であるとき、例えば、図４に示されるように第２表示データに従う階調が８０％のとき、制御部２２０は、第１放電実行部２５２に可変抵抗Ｒ１〜Ｒ４の抵抗値を検出された階調に対応するように減少させる制御信号ＣＳ１〜ＣＳ４を供給する。この場合、可変抵抗Ｒ１〜Ｒ４の抵抗値を既設定された値に保持する制御信号ＣＳ１〜ＣＳ４を供給してもよい。
【００４１】
これにより、第１放電実行部２５２は、可変抵抗Ｒ１〜Ｒ４の抵抗値を制御信号ＣＳ１〜ＣＳ４によって減少させる（Ｓ３３０）。
【００４２】
一方、検出された階調が低階調であるとき、例えば、図４に示されるように、第２表示データに従う階調が２０％のとき、制御部２２０は、第１放電実行部２５２に可変抵抗Ｒ１〜Ｒ４の抵抗値を検出された階調に対応するように増加させる制御信号ＣＳ１〜ＣＳ４を供給する。
【００４３】
これにより、第１放電実行部２５２は、可変抵抗Ｒ１〜Ｒ４の抵抗値を制御信号ＣＳ１〜ＣＳ４によって増加させる（Ｓ３２０）。
【００４４】
続いて、第１放電実行部２５２及び第２放電実行部２５４は、データラインＤ１〜Ｄ４を第２表示データに対応する放電レベル（８０％階調のときＤＬ１、２０％階調のときＤＬ２）まで放電させる（Ｓ３４０）。
【００４５】
次いで、プリチャージ部２４０は、第２表示データに従ってプリチャージ電流をデータラインＤ１〜Ｄ４に印加する（Ｓ３５０）。
続いて、データ駆動部２３０は、第２表示データに従ってデータ電流をデータラインＤ１〜Ｄ４を介してピクセルＥ１１〜Ｅ４４に供給する（Ｓ３６０）。
【００４６】
このように、表示データの階調によって第１放電実行部２５２の可変抵抗Ｒ１〜Ｒ４の抵抗値を可変させて放電レベルを調整することができる。従って、有機電界発光素子が高階調から低階調に輝度を変更して発光するときにも、図４に図示されたＢ領域のように、スキャン信号の低論理領域開始点Ｔ３で表示データに対応する階調で発光し得る。
【００４７】
以下、本発明の第２の実施形態に係る有機電界発光表示装置及びその駆動方法に対して詳述する。
図６は、本発明の好ましい第２の実施形態に係る有機電界発光表示装置を図示した図面である。
【００４８】
図６を参照すれば、本発明の第２の実施形態に係る有機電界発光表示装置は、パネル２００、スキャン駆動部２１０、制御部２２０、データ駆動部２３０、プリチャージ部２４０及び第２放電部２６０を含む。
【００４９】
第２放電部２６０を除いた構成は、第１の実施形態に係る有機電界発光表示装置の構成と同じであるため、以下、説明を省略する。
以下、第１表示データ及び第２表示データが、制御部２２０に順次に入力されるとする。
【００５０】
プリチャージ部２４０は、制御部２２０から第１及び２表示データを受信し、受信された第１表示データに従って、第１プリチャージ電流をデータラインＤ１〜Ｄ４に印加する。
【００５１】
データ駆動部２３０は、制御部２２０から伝送された第１表示データに従って、第１データ電流を第１プリチャージ電流が印加されたデータラインＤ１〜Ｄ４に供給する。  第２放電部２６０は、階調検出部２６２及び放電実行部２６４を含む。
【００５２】
階調検出部２６２は、制御部２２０から第２表示データを受信し、受信された第２表示データに従う階調を検出し、検出された階調に対する情報を放電実行部２６４に伝送する。
【００５３】
放電実行部２６４は、伝送された階調に対する情報を通して検出された階調が高階調（例えば、５０％以上の階調）であるか否かを把握する。検出された階調が高階調のとき、例えば、図４に示されるように、第１表示データに従う階調が５０％であり、第２表示データに従う階調が８０％のとき、放電実行部２６４は、制御部２２０から伝送された第１表示データによって第１データ電流が供給されたデータラインＤ１〜Ｄ４を固定された第１放電レベルＤＬ１まで放電させる。
この場合、放電実行部２６４は、階調に関係なくデータラインＤ１〜Ｄ４を第１放電レベルＤＬ１まで放電させる。
【００５４】
しかし、検出された階調が低階調のとき、例えば、図４に示されるように、第１表示データに従う階調が８０％であり、第２表示データに従う階調が２０％のとき、放電実行部２６４は、第１表示データによってデータラインＤ１〜Ｄ４を第２放電レベルＤＬ２まで放電させる。
【００５５】
この場合、放電実行部２６４は、データラインＤ１〜Ｄ４を階調に対応する放電レベルまで放電させる。
例えば、放電実行部２６４は、検出された階調が４０％のとき、データラインＤ１〜Ｄ４を第１放電レベルＤＬ１より大きく、第２放電レベルＤＬ２より小さい放電レベルまで放電させる。
【００５６】
本発明の一実施形態に係る放電実行部２６４は、放電時間dcha１、dcha２を制御して、データラインＤ１〜Ｄ４を放電レベルＤＬ１、ＤＬ２まで放電させる。
もちろん、放電実行部２６４は、同じ時間の間、放電量を制御してデータラインＤ１〜Ｄ４を放電レベルＤＬ１、ＤＬ２まで放電することができる。
【００５７】
プリチャージ部２４０は、受信された第２表示データに従って、第２プリチャージ電流を放電されたデータラインＤ１〜Ｄ４に印加する。
データ駆動部２３０は、制御部２２０から伝送された第２表示データに従って、第２データ電流を第２プリチャージ電流が印加されたデータラインＤ１〜Ｄ４に供給する。
【００５８】
図７は、本発明の好ましい第２の実施形態に係る有機電界発光表示装置の駆動過程を図示した流れ図である。
図７を参照すれば、データ駆動部２３０は、第１表示データに従って第１データ電流をデータラインＤ１〜Ｄ４を介してピクセルＥ１１〜Ｅ４４に供給する（Ｓ４００）。
【００５９】
次いで、階調検出部２６２は、第２表示データに従う階調を検出する（Ｓ４０２）。
続いて、検出された階調が高階調であるか否かを判断する（Ｓ４０４）。
検出された階調が高階調である場合、放電実行部２６４は、データラインＤ１〜Ｄ４を固定された第１放電レベルＤ１まで放電させる（Ｓ４０６）。
【００６０】
一方、検出された階調が低階調のとき、放電実行部２６４は、データラインＤ１〜Ｄ４を検出された階調に従う放電レベルまで放電させる（Ｓ４０８）。
【００６１】
次いで、プリチャージ部２４０は、第２表示データに従ってプリチャージ電流をデータラインＤ１〜Ｄ４に印加する（Ｓ４１０）。
続いて、データ駆動部２３０は、第２表示データに従って第２データ電流をデータラインＤ１〜Ｄ４を介してピクセルＥ１１〜Ｅ４４に供給する（Ｓ４１２）。
【００６２】
以下、従来の有機電界発光表示装置と本発明の有機電界発光表示装置とを比較する。
従来の有機電界発光表示装置では、階調に関係なく常に放電レベルが同一で合ったため、第２表示データに従う階調が低階調のとき、図２のＡで示されるようにスキャン信号の低論理領域で所望のデータ電流より少ない電流がデータラインＤ１〜Ｄ４に供給される。従って、従来の有機電界発光素子は、所望の輝度より低い輝度で発光し、それで、電力を上昇させて所望の輝度で発光した。
【００６３】
一方、本発明の有機電界発光表示装置では、第２表示データに対応する階調によって放電レベルが変わるので、第２表示データに対応する階調が低階調のときにも、図４のＢで示されるように、スキャン信号の低論理領域で所望のデータ電流がデータラインＤ１〜Ｄ４に供給される。従って、本発明の有機電界発光表示装置は、従来とは違って電力を上昇する必要がないので、消費電力が減少される。
【００６４】
上述した本発明の実施形態は、例示の目的のために開示されたものであり、本発明に対する通常の知識を有した当業者であれば、本発明の技術的思想と範囲内で様々な修正、変更、付加が可能である。従って、このような修正、変更及び付加は本発明の特許請求の範囲に属するものである。
【図面の簡単な説明】
【００６５】
【図１】従来の有機電界発光表示装置を図示した概略構成図である。
【図２】図１のピクセルに供給されるスキャン信号及びデータ電流を図示したタイミング図である。
【図３】本発明の好ましい第１実施形態に係る有機電界発光表示装置を図示した概略構成図である。
【図４】本発明の好ましい実施形態に係る有機電界発光表示装置のピクセルに供給されるスキャン信号及びデータ電流を図示したタイミング図である。
【図５】本発明の好ましい第１実施形態に係る有機電界発光表示装置の駆動方法を図示した流れ図である。
【図６】本発明の好ましい第２実施形態に係る有機電界発光表示装置を図示した概略構成図である。
【図７】本発明の好ましい第２実施形態に係る有機電界発光表示装置の駆動方法を図示した流れ図である。
【符号の説明】
【００６６】
２００  パネル
２１０  スキャン駆動部
２２０  制御部
２３０  データ駆動部
２４０  プリチャージ部
２５０  第１放電部
２５２  第１放電実行部
２５４  第２放電実行部
Ｄ１〜Ｄ４  データライン
ＣＳ１〜ＣＳ４  制御信号
Ｅ１１〜Ｅ４４  ピクセル
Ｒ１〜Ｒ４  可変抵抗
Ｓ１〜Ｓ４  スキャンライン
ＺＤ１〜ＺＤ４  ツェナーダイオード
【図１】
0005247992.tif 000002
【図２】
0005247992.tif 000003
【図３】
0005247992.tif 000004
【図４】
0005247992.tif 000005
【図５】
0005247992.tif 000006
【図６】
0005247992.tif 000007
【図７】
0005247992.tif 000008